(57)【要約】      （修正有）【課題】手触りが柔らかく、デザイン性に優れて子供や女性でも違和感なく使用することが出来る低廉で新感覚のボールダンベルを提供する。【解決手段】所定の大きさを有する握持部１と、該握持部１内に着脱自在に装着された２個のウェイトボール２，２とを備える。握持部１は、例えば、布、不織布、ゴム、スポンジ、ウレタン、合成樹脂材などの軟性材を用いて両遊端が球面状になるように縫製せしめ、その内部には２個のウェイトボール２，２を許容するための内部空隙部Ｓを形成する。開口部１ａには、ファスナー１ｂが縫製されており、同ファスナー１ｂを閉めることで２個のウェイトボール２，２を内部空隙部Ｓ内に移動不能状態に包持できるように握持部１の長手方向中心に括れ部を形成せしめる。【選択図】 図５
0003124826.tif 000002
【実用新案登録請求の範囲】
【請求項１】
手指で掴むための握持部と、所望の重さを有するウェイト部とを備えてなるダンベルにおいて、前記握持部は、中空状に形成されて前記ウェイト部を内設してなることを特徴とするボールダンベル。
【請求項２】
前記握持部は、布、ゴム、スポンジなどの軟性材からなり、少なくとも一以上のウェイト部を移動不能状態に保持するための空隙部を有することを特徴とする請求項１に記載のボールダンベル。
【請求項３】
前記ウェイト部は、ボール状に形成されて前記握持部内に保持される少なくとも一以上のウェイトボールであることを特徴とする請求項１又は２に記載のボールダンベル。
【考案の詳細な説明】
【技術分野】
【０００１】
本考案は、腕などの筋力を鍛錬するダンベルの改良に関し、更に詳しくは、手触りが柔らかく、デザイン性に優れて子供や女性でも違和感なく使用することができる低廉で新感覚のボールダンベルに関する。
【背景技術】
【０００２】
従来、斯かるダンベルとしては、例えば、Ｈ型をした鉄塊のダンベル・バーベルのウェイト止め具に、シャフトに挿通する透孔を設け、該透孔にストッパーの略中央部を回動自在に軸着し、該ストッパーの基端にはストッパーの先を押圧するバネを取り付け、先端はＬ字状に形成し、該Ｌ字状部がシャフトの円周方向に適宜数設けた凹溝に、前記バネの作用で噛み合ってウェイト部とウェイト止め具とを固定している。
【特許文献１】実公平７-１７３１９号
【考案の開示】
【考案が解決しようとする課題】
【０００３】
しかしながら、上述した従来のダンベルにあっては、まず、全体形状が常套のＨ型であるため、斬新さ及び趣向性に欠けており、また、手触りが硬くて冷たいことも相俟って、女性には余り使用されない一因になっている。
【０００４】
また、従来のダンベルにあっては、ウェイト部を固定するのに前記ストッパー、押圧バネ、凹溝などが必用となるため、構造が複雑になってしまうと共に、その分、価格も高くなってしまうといった問題がある。
【０００５】
しかも、ウェイト部を交換する際には、上述したストッパーのバネを有する基端側を手指で押圧して、ストッパーの先端にあるＬ字状部とシャフトの円周方向に設けた凹溝との噛み合わせを解除しなければ、ウェイト部がシャフトから外れないため、子供や女性にとって手軽にできるものではなく、昨今ではシンプルでウェイト部の交換・保持が簡単に行なえる新感覚のダンベルが要望されている。
【０００６】
本考案はこのような従来の問題点及び要望に鑑みてなされたもので、斬新な形態で手触りが柔らかく、また、ウェイト部の交換・保持が子供や女性にとっても頗る簡単にできる低廉で新感覚のボールダンベルを提供することを目的としたものである。
【課題を解決するための手段】
【０００７】
上述の如き従来の問題点を解決し、所期の目的を達成するため本考案の要旨とする構成は、手指で掴むための握持部と、所望の重さを有するウェイト部とを備えてなるダンベルにおいて、前記握持部は、中空状に形成されて前記ウェイト部を内設してなるボールダンベルに存する。
【０００８】
また、前記握持部は、布、ゴム、スポンジなどの軟性材からなり、少なくとも一以上のウェイト部を移動不能状態に保持するための空隙部を有するのが良い。
【０００９】
更に、前記ウェイト部は、ボール状に形成されて前記握持部内に保持される少なくとも一以上のウェイトボールが良い。
【考案の効果】
【００１０】
本考案は上述のように構成され、前記握持部が中空状に形成されて前記ウェイト部を内設してなることによって、従来の如き、ウェイト部を外設するためのストッパー、押圧バネ、凹溝などが一切不要になるなど、構成が単純であるため、大量生産に適し価格も低廉なものとして需用者に供給できるといった効果を奏する。
【００１１】
また、前記握持部が、布、ゴム、スポンジなどの軟性材からなり、少なくとも一以上のウェイト部を移動不能状態に保持するための空隙部を有することによって、空隙部内にウェイト部を入れるだけで、簡単に軟性材の握持部を硬く保持できるため、従来のＨ型ダンベルの概念を打ち破り、表面の手触りが良くて（柔らかくて）暖かみがあるなど、簡単にして斬新な形態のダンベルを提供できることとなった。
【００１２】
更に、前記ウェイト部が、ボール状に形成されて前記握持部内に保持される少なくとも一以上のウェイトボールであることによって、握持部全体がボールを連ねてできている感覚が手指に伝わるなど、今までにない斬新な感覚で使用できるボールダンベルを提供できることとなった。
【考案を実施するための最良の形態】
【００１３】
握持部内を中空状に形成してボール状のウェイト部（以下、単にウェイトボールという）を内設せしめる。具体的には、前記握持部を布、ゴム、スポンジなどの軟性材で袋状に縫製すると共に、同握持部内に複数のウェイトボールを移動不能状態に保持せしめるべく握持部の長手方向中心部に括れ部を形成せしめる。
【実施例】
【００１４】
次に本考案の実施の一例を図面を参照しながら説明する。図中Ａは、本考案に係るボールダンベルの実施の一例を示すものであり、このボールダンベルＡは、図１に示すように、所定の大きさを有する握持部１と、該握持部１内に着脱自在に装着された２個のウェイトボール２，２とを備えている。
【００１５】
握持部１は、例えば、布、不織布、ゴム、スポンジ、ウレタン、合成樹脂材などの軟性材を用いて両遊端が球面状になるように縫製されている。また、その内部には２個のウェイトボール２，２を許容するための空隙部（以下、単に内部空隙部という）Ｓ(図４参照)が形成されると共に、底面に同ウェイトボール２，２を出し入れするための開口部１ａが形成されている。
【００１６】
この開口部１ａは、端縁にファスナー１ｂが縫製されており、同ファスナー１ｂを閉めることで２個のウェイトボール２，２を内部空隙部Ｓ内に移動不能状態に包持できるように握持部１の長手方向中心に括れ部１ｃが形成されている。
【００１７】
ウェイトボール２，２は、図４乃至図５に示すように、合成樹脂、金属、石等の適宜素材からボール(球)状に形成されており、任意の重量を有している。例えば、直径が同じで重さだけが異なる(同径異重の)ウェイトボール、すなわち、１００ｇ、２００ｇ、３００ｇ〜１ｋｇなどの各重量のウェイトボール２，２を予め取り揃えておけば、握持部１の大きさはそのままで、重量のみを変えることができる。
【００１８】
換言すれば、従来のダンベルは、重量を変える場合、ウェイト部の大きさ（直径）を変えることで全体の重量を増減していたため、全体の大きさそのものが変わってしまうといった問題があり、本考案のボールダンベルは、握持部１内のウェイトボール２，２(同径)を違う重量のものに取り替えるだけなので、全体の大きさは変わらずに済むのである。
【００１９】
このように構成される本考案のボールダンベルＡは、握持部１が軟性材で形成されているため、手触りが柔らかく、また、ウェイトボール２，２の交換・保持がファスナー１ｂを開閉するだけで簡単にできるため、子供や女性にとっても使い易い低廉で新感覚のボールダンベルを提供できるのである。
【００２０】
尚、本考案のボールダンベルは、本実施例に限定されることなく、本考案の目的の範囲内で自由に設計変更し得るものであり、本考案はそれらの全てを包摂するものである。例えば、本実施例では２個のウェイトボール２，２を使用しているが、これに限定されることなく、１個のみ(単体)でも良く、また、３個以上を組み合わせて使用しても良い。
【００２１】
また、ウェイトボール２，２の大きさ(径)を変えたり、血行促進に良いとされるマグネット、ゲルマニユム、チタン、銅、銀、金、錫等の金属材若しくは水晶、セラミック、トルマリン、鉱物、更には芳香剤若しくは防臭剤（図示せず）の全て又は何れかを選択又は組み合わせたものを使用してツボ押し等のマッサージ具として兼用させても良く、また、これらは握持部１、ウェイトボール２，２の何れに付設しても良い。
【００２２】
また、ウェイトボール２，２に空洞のものを使用すれば、例えば、表面にスリットを穿設することで、握持部１内に隠された秘密の貯金箱として兼用できるものであり、また、栓などを取り付けて中空のウェイト部２，２内に水を入れて重量の調整を任意に行えるようにしたり、更には、ボールダンベルが揺動する度に音楽やリズム音が鳴るように構成しても良い。
【図面の簡単な説明】
【００２３】
【図１】本考案に係るボールダンベルの正面図である。
【図２】同ボールダンベルの底面図である。
【図３】同ボールダンベルの側面図である。
【図４】同ボールダンベルの縦断面図である。
【図５】同ボールダンベルの組立分解斜視図である。
【符号の説明】
【００２４】
Ａ  ボールダンベル
Ｓ  空隙部
１  握持部
１ａ  開口部
１ｂ  ファスナー
１ｃ  括れ部
２  ウェイトボール
【図１】
0003124826.tif 000003
【図２】
0003124826.tif 000004
【図３】
0003124826.tif 000005
【図４】
0003124826.tif 000006
【図５】
0003124826.tif 000007